(57)【要約】      （修正有）【課題】利便性に優れた見守りシステム、模擬装置及びその制御方法を提供する。【解決手段】住戸内の人の動きを検知したときに人感センス信号を送出する人感センサ１００と、人感センス信号が最後に入力された時刻から所定時間が経過したときに緊急通報する緊急通報装置（インターホン２００）とを少なくとも含む見守りシステム１を構成する模擬装置５００は、外出検知センサ（電気錠４００）が外出する動きを検知したときの信号の入力を検知すると、人感センス信号を模擬した模擬人感センス信号を緊急通報装置へ送出するとともに、人感センス信号の入力を検知すると、模擬人感センス信号の送出を停止する。【選択図】図１
2019159565.tif 000002
【特許請求の範囲】
【請求項１】
住戸内における人の活動を監視し、異常があったときに緊急通報する見守りシステムを構成する模擬装置であって、
前記見守りシステムは、
住戸内の人の動きを検知したときに人感センス信号を送出する人感センサと、
前記人感センサから前記人感センス信号が入力されるとともに、前記人感センス信号が最後に入力された時刻から所定時間が経過したときに緊急通報する緊急通報装置とを少なくとも含み、
さらに、前記見守りシステムは、住戸内にいた人が住戸から外出する動きを検知する外出検知センサを含み、
前記模擬装置は、
前記外出検知センサが前記外出する動きを検知したときの信号の入力を検知すると、前記人感センス信号を模擬した模擬人感センス信号を前記所定時間よりも短い間隔で前記緊急通報装置へ送出するとともに、
前記人感センサが送出した前記人感センス信号の入力を検知すると、前記模擬人感センス信号の送出を停止することを特徴とする模擬装置。
【請求項２】
前記人感センス信号が前記人感センサから前記緊急通報装置へ伝送される信号線に設けられていることを特徴とする請求項１に記載の模擬装置。
【請求項３】
前記人感センサと一体に設けられていることを特徴とする請求項１に記載の模擬装置。
【請求項４】
前記模擬人感センス信号を送出する状態と、前記模擬人感センス信号の送出を停止している状態との何れにあるかを識別可能に提示する状態提示部を備えることを特徴とする請求項１〜３の何れか１項に記載の模擬装置。
【請求項５】
前記模擬人感センス信号を送出する状態と、前記模擬人感センス信号の送出を停止している状態との何れにあるかを示す状態情報を外部装置へ出力する状態情報出力部を備えることを特徴とする請求項１〜４の何れか１項に記載の模擬装置。
【請求項６】
住戸内における人の活動を監視し、異常があったときに緊急通報する見守りシステムを構成する模擬装置の制御方法であって、
前記見守りシステムは、
住戸内の人の動きを検知したときに人感センス信号を送出する人感センサと、
前記人感センサから前記人感センス信号が入力されるとともに、前記人感センス信号が最後に入力された時刻から所定時間が経過したときに緊急通報する緊急通報装置と、
住戸内にいた人が住戸から外出する動きを検知する外出検知センサとを少なくとも含み、
前記模擬装置は、
前記外出検知センサが前記外出する動きを検知したときの信号の入力を検知すると、前記人感センス信号を模擬した模擬人感センス信号を前記所定時間よりも短い間隔で前記緊急通報装置へ送出するとともに、
前記人感センサが送出した前記人感センス信号の入力を検知すると、前記模擬人感センス信号の送出を停止することを特徴とする模擬装置の制御方法。
【請求項７】
住戸内における人の活動を監視し、異常があったときに緊急通報する見守りシステムであって、
住戸内の人の動きを検知したときに人感センス信号を送出する人感センサと、
前記人感センサから前記人感センス信号が入力されるとともに、前記人感センス信号が最後に入力された時刻から所定時間が経過したときに緊急通報する緊急通報装置と、
前記緊急通報装置から緊急通報を受信して報知対象者に提示する報知装置と、
住戸内にいた人が住戸から外出する動きを検知する外出検知センサと、
前記外出検知センサが前記外出する動きを検知したときの信号の入力を検知すると、前記人感センス信号を模擬した模擬人感センス信号を前記所定時間よりも短い間隔で前記緊急通報装置へ送出するとともに、前記人感センサが送出した前記人感センス信号の入力を検知すると、前記模擬人感センス信号の送出を停止する模擬装置とを含むことを特徴とする見守りシステム。
【発明の詳細な説明】
【技術分野】
【０００１】
本発明は、住戸内における人の活動を監視し、異常があったときに緊急通報する見守りシステムに関する。
【背景技術】
【０００２】
住戸内の見守り対象者の安否を監視し、該見守り対象者に異常が発生したと判定した場合は緊急通報を行う緊急通報装置を備えた見守りシステムが知られている。見守り対象者側で容易に監視を無効化できるように、例えばインターホンに緊急通報装置としての機能を組み込んだ構成も知られている。このような構成において見守り対象者は、外出時にインターホンを操作して監視を無効化することで、例えば長期の外出時に緊急通報装置が誤通報を行うことを抑制する。例えば特許文献１には、ドア錠が外から施錠されていることを外鍵施錠センサが検出し、かつ住戸内の人間を存在確認センサが確認できないときに監視を停止させる緊急通報装置が開示されている。また、特許文献２には、在室モード中に電気錠が開錠後に施錠がなされると不在モードに移行し、監視を中止する監視システムが開示されている。
【先行技術文献】
【特許文献】
【０００３】
【特許文献１】特開平９−８１８７８号公報（１９９７年３月２８日公開）
【特許文献２】特開２０１４−２６８０号公報（２０１４年１月９日公開）
【発明の概要】
【発明が解決しようとする課題】
【０００４】
しかしながら、上述のような従来技術は住戸内に複数の見守り対象者が存在する場合に適当な監視が行えないという問題があった。例えば、特許文献１に記載の発明では、見守り対象者が外出時にドア錠を外から施錠した時点で存在確認センサの範囲外に別の見守り対象者が存在した場合に、該別の見守り対象者に対する監視が行えず、監視を再開するタイミングが不明であるという問題があった。また、特許文献２に記載の発明では、在室モード中に見守り対象者が外出するために、電気錠を開錠および施錠を行うと不在モードに移行するため、住戸内の別の見守り対象者を監視できないという問題があった。
【０００５】
前記の問題を鑑みて、住戸内の見守り対象者を見守る見守りシステムにおいて見守り対象者の外出時に監視を手動で無効化することが考えられる。しかしながら、手動による無効化は見守り対象者が忘れがちとなるため、該見守り対象者の外出中も監視が行われた結果、監視期間の間にセンサが人の動きを検知せず、緊急通報装置が誤通報を行うおそれがあった。
【０００６】
本発明の一態様は、前記の問題に鑑みてなされたものであり、監視の無効化を自動的に行うことができる、利便性に優れた見守りシステム等を提供することを目的とする。
【課題を解決するための手段】
【０００７】
前記の課題を解決するために、本発明の一態様に係る模擬装置は、住戸内における人の活動を監視し、異常があったときに緊急通報する見守りシステムを構成する模擬装置であって、前記見守りシステムは、住戸内の人の動きを検知したときに人感センス信号を送出する人感センサと、前記人感センサから前記人感センス信号が入力されるとともに、前記人感センス信号が最後に入力された時刻から所定時間が経過したときに緊急通報する緊急通報装置とを少なくとも含み、さらに、前記見守りシステムは、住戸内にいた人が住戸から外出する動きを検知する外出検知センサを含み、前記模擬装置は、前記外出検知センサが前記外出する動きを検知したときの信号の入力を検知すると、前記人感センス信号を模擬した模擬人感センス信号を前記所定時間よりも短い間隔で前記緊急通報装置へ送出するとともに、前記人感センサが送出した前記人感センス信号の入力を検知すると、前記模擬人感センス信号の送出を停止する構成である。
【０００８】
本発明の一態様に係る模擬装置の制御方法は、住戸内における人の活動を監視し、異常があったときに緊急通報する見守りシステムを構成する模擬装置の制御方法であって、前記見守りシステムは、住戸内の人の動きを検知したときに人感センス信号を送出する人感センサと、前記人感センサから前記人感センス信号が入力されるとともに、前記人感センス信号が最後に入力された時刻から所定時間が経過したときに緊急通報する緊急通報装置とを少なくとも含み、さらに、前記見守りシステムは、住戸内にいた人が住戸から外出する動きを検知する外出検知センサを含み、前記模擬装置は、前記外出検知センサが前記外出する動きを検知したときの信号の入力を検知すると、前記人感センス信号を模擬した模擬人感センス信号を前記所定時間よりも短い間隔で前記緊急通報装置へ送出するとともに、前記人感センサが送出した前記人感センス信号の入力を検知すると、前記模擬人感センス信号の送出を停止する方法である。
【０００９】
本発明の一態様に係る見守りシステムは、住戸内における人の活動を監視し、異常があったときに緊急通報する見守りシステムであって、住戸内の人の動きを検知したときに人感センス信号を送出する人感センサと、前記人感センサから前記人感センス信号が入力されるとともに、前記人感センス信号が最後に入力された時刻から所定時間が経過したときに緊急通報する緊急通報装置と、前記緊急通報装置から緊急通報を受信して報知対象者に提示する報知装置と、住戸内にいた人が住戸から外出する動きを検知する外出検知センサと、前記外出検知センサが前記外出する動きを検知したときの信号の入力を検知すると、前記人感センス信号を模擬した模擬人感センス信号を前記所定時間よりも短い間隔で前記緊急通報装置へ送出するとともに、前記人感センサが送出した前記人感センス信号の入力を検知すると、前記模擬人感センス信号の送出を停止する模擬装置とを含む構成である。
【発明の効果】
【００１０】
本発明の一態様によれば、利便性に優れた見守りシステム等を提供することができるという効果を奏する。
【図面の簡単な説明】
【００１１】
【図１】本発明の実施形態１に係る見守りシステムの要部構成の一例を示すブロック図である。
【図２】本発明の実施形態１に係る見守りシステムを構成する模擬装置の動作モードおよび動作モードの切り替えの一例を示しており、（ａ）は模擬装置の動作モードの遷移を示す状態遷移図であり、（ｂ）は模擬装置の動作モードに関する状態遷移表であり、（ｃ）は模擬装置における動作モードの切り替えを例示するタイムチャートである。
【図３】本発明の実施形態１に係る見守りシステムにおいて模擬装置が実行する処理の一例を示すフローチャートである。
【発明を実施するための形態】
【００１２】
〔実施形態１〕
以下、本発明の一実施形態について、図１〜図３を用いて詳細に説明する。
【００１３】
（見守りシステム１の概要）
本実施形態に係る見守りシステム１の概要について、図１を用いて説明する。図１は、見守りシステム１の要部構成の一例を示すブロック図である。見守りシステム１は、人感センサ１００、インターホン２００、外部装置２０１、監視端末２１０、ルータ３００、電気錠４００、および模擬装置５００を備えている。
【００１４】
見守りシステム１は、住戸内における人（＝見守り対象者）の活動を監視（見守り）し、異常があったときに緊急通報する見守り機能を提供するシステムである。見守りシステム１は、見守り機能を備える緊急通報装置が組み込まれたインターホン２００が人感センサ１００による検知結果から住戸内の見守り対象者において異常が発生したと判定すると、判定結果に応じた通知を行う。監視端末２１０のユーザ（例えば見守り対象者の保護者）は、通知に基づいて通報を行うなどの対応を行うことができる。見守りシステム１は、見守り対象者が外出するなどの理由によって該見守り対象者を見守る必要がない場合、インターホン２００に異常の通知を行わない。なお、本実施形態では見守り機能がインターホンに組み込まれている場合を例に説明するが、見守り機能がインターホンに搭載されていなくてもよい。
【００１５】
人感センサ１００は、住戸に設けられた、見守り対象者の動きを検知するセンサである。人感センサ１００は、住戸内の人の動きを検知したときに人感センス信号を生成し、模擬装置５００へ送出する。人感センサ１００は、住戸内の各所に複数設けられてもよいし、見守り対象者が長時間滞在すると思われる領域のみを見守るように設けられてもよい。
【００１６】
人感センサ１００は、見守り領域内に存在する見守り対象者の動きを検知可能な構成であれば、どのようなセンサであってもよい。例えば、人感センサ１００は見守り対象者の動きを直接検知する赤外線センサであってもよいし、見守り対象者が住戸内の機器を操作した場合に該機器の動作から見守り対象者の動作を間接的に検知するセンサであってもよい。具体的には、人感センサ１００は、見守り対象者が冷蔵庫のドアを開閉したことを検知する開閉センサであってもよいし、見守り対象者がテレビのリモコンを操作したことを検知するセンサであってもよい。
【００１７】
インターホン２００は、人感センサ１００から人感センス信号の入力を受け付けるとともに、人感センス信号が最後に入力された時刻から所定時間が経過したときに緊急通報する、見守り機能を備えた緊急通報装置としての機能が組み込まれている。具体的には、インターホン２００は予め設定された所定時間を図示しないタイマを用いて計測する。所定時間が経過するまでの間に人感センサ１００から人感センス信号を受信しなかった場合、インターホン２００は見守り対象者が倒れて動かなくなった等の異常が発生したと判定し、監視端末２１０へ緊急通報を行う。
【００１８】
本実施形態において、インターホン２００は、模擬装置５００を介して人感センス信号および模擬人感センス信号を受信する。ここで、模擬人感センス信号は模擬装置５００より送出された、人感センス信号を模擬した信号である。模擬人感センス信号は、インターホン２００において該模擬人感センス信号と人感センス信号とが区別されることなく同等に処理されるのであれば、任意の信号波形を有する信号であってもよい。例えば、模擬人感センス信号は、人感センス信号と同一の波形を有する信号であってもよい。
【００１９】
インターホン２００は、人感センス信号および模擬人感センス信号のいずれかを受信した場合、図示しないタイマを用いた所定時間のカウントをリセットする。インターホン２００に組み込まれた緊急通報装置は、例えば住戸のリビング等に設けられた一般的なインターホンに搭載されてもよいし、ネットワークを介して通信可能な外部のクラウドサーバに搭載されてもよい。換言すれば、緊急通報装置が備える見守り機能は、一般的なインターホンが提供してもよいし外部のクラウドサーバが提供してもよい。
【００２０】
外部装置２０１は、模擬装置５００の現在の状態を示す情報（＝モード情報）を該模擬装置５００より受信し、受信した情報に応じた出力を行う。外部装置２０１は、例えば見守り対象者が有するスマートフォン等の携帯端末であってもよい。また、外部装置２０１は、モード情報をメッセージや映像として表示してもよいし、音声にて出力してもよい。
【００２１】
監視端末２１０は、インターホン２００と通信可能に接続されており、該インターホン２００から緊急通報を受信して報知対象者（見守り対象者の保護者等）に提示する報知装置として機能する。監視端末２１０は、例えば集合住宅の管理人が住人の状態を確認するために管理人室等に設けられた機器であってもよいし、スマートフォン等の携帯が容易な通信機器であってもよい。
【００２２】
ルータ３００は、電気錠４００と模擬装置５００との間に設けられ、これらの機器の間の通信を中継する。ルータ３００が電気錠４００および模擬装置５００との間で行う通信は、例えばＷｉ−Ｆｉ（登録商標）のような無線によるものであってもよく、有線によるものであってもよい。
【００２３】
電気錠４００は、見守りシステム１が設置された住戸のドアに設けられたロック機構であり、住戸内の見守り対象者が該住戸から外出するために電気錠４００を開錠および施錠したことを検知し、通知する外出検知センサとしての機能を有する。具体的には、電気錠４００は、開錠状態から施錠状態に遷移したことを検知すると、施錠されたことを示す施錠信号を送信する。図示の例において、電気錠４００はルータ３００を介して模擬装置５００に接続されており、施錠信号を模擬装置５００へ送信することができる。なお、電気錠４００と模擬装置５００との間の接続は、例えばルータ３００を用いることなく直接行われてもよい。また、施錠信号の送受信は、有線通信で行われてもよいし、無線通信で行われてもよい。
【００２４】
（模擬装置の概要）
模擬装置５００は、入力部５１０、出力部５２０、施錠信号受信部５３０、タイマ５４０、モード提示部５６０、および制御部５５０を備えている。制御部５５０は、切替判定部５５１、模擬人感センス信号生成部５５２、およびモード情報出力部５５３を備えている。
【００２５】
模擬装置５００は、人感センサ１００とインターホン２００との間に配置されている。換言すれば、模擬装置５００は、人感センス信号が人感センサ１００からインターホン２００へ伝送される信号線に設けられている。模擬装置５００は、ルータ３００を介して電気錠４００から受信する施錠信号および人感センサ１００から受信する人感センス信号に基づいて、自身が動作するモードを監視モードと模擬モードとの間で切り替える。
【００２６】
監視モードは、模擬装置５００が模擬人感センス信号の送出を停止している動作モードである。具体的には、監視モードで動作中に、模擬装置５００は人感センサ１００から入力部５１０を介して人感センス信号を受信すると、該人感センス信号を出力部５２０を介してインターホン２００へ送信する。すなわち、監視モードで動作中に、模擬装置５００は人感センス信号の中継を行い、見守りシステム１が人感センサ１００による見守り対象者の見守りおよびインターホン２００による緊急通報を行えるようにする。
【００２７】
模擬モードは、模擬装置５００が模擬人感センス信号を送出する動作モードである。換言すれば、模擬モードは人感センサ１００から人感センス信号を受信するまでの間、模擬人感センス信号をインターホン２００へ送出する。これにより、模擬装置５００が見守り対象者があたかも住戸内に存在するかのように模擬する。この場合、インターホン２００では、見守り対象者を検知していると誤判定するので、緊急通報を行うことがない。すなわち、模擬モードはインターホン２００における緊急通報を抑制する動作モードである。
【００２８】
模擬モードで動作中に、模擬装置５００は人感センス信号と同等の模擬人感センス信号を一定期間ごとに生成し、インターホン２００へ送信する。ここで、模擬人感センス信号を生成する間隔は、インターホン２００が緊急通報の要否を判定するために用いる所定時間よりも短い間隔である。これにより、インターホン２００は人感センサ１００が見守り対象者の動きを一定期間ごとに検知しており、見守り対象者に異常が発生していないと判定する。したがって、模擬装置５００が模擬モードで動作中に、インターホン２００は監視端末２１０に緊急通報を送信することがない。
【００２９】
入力部５１０は、人感センサ１００から人感センス信号を受け付けると、該人感センス信号を制御部５５０へ送信する。入力部５１０は、例えば模擬装置５００を人感センサ１００と有線で接続するために設けられた端子であってもよく、無線で接続するために設けられた回路であってもよい。
【００３０】
出力部５２０は、制御部５５０から人感センス信号および模擬人感センス信号のいずれかを受信すると、受信した内容をインターホン２００へ送信する。出力部５２０は、例えば入力部５１０と一体に構成された端子や回路等であってもよい。
【００３１】
施錠信号受信部５３０は、電気錠４００が施錠されたことを示す施錠信号を、ルータ３００を介して該電気錠４００から受信する。施錠信号受信部５３０は、施錠信号を受信すると、該施錠信号または施錠信号を受信したことを示す情報を制御部５５０へ送信する。
【００３２】
タイマ５４０は、模擬装置５００が模擬人感センス信号を生成する時間間隔を計測する。換言すれば、模擬装置５００は、タイマ５４０が一定期間を計測するごとに模擬人感センス信号を生成し、インターホン２００へ送信する。
【００３３】
モード提示部５６０は、模擬装置５００が現在監視モードと模擬モードの何れにあるかを識別可能に提示する。すなわち、モード提示部５６０は、模擬装置５００の状態を提示する状態提示部として機能する。モード提示部５６０は、例えば動作モードに応じた色やパターンで点滅するＬＥＤランプであってもよいし、メッセージ等を表示するディスプレイであってもよい。
【００３４】
制御部５５０は、模擬装置５００の各部を統括して制御する。制御部５５０は、切替判定部５５１にて判定した結果に基づいて、該模擬装置５００の動作モードを監視モードと模擬モードとの間で切り替える。制御部５５０は、入力部５１０から受信した人感センス信号および模擬人感センス信号生成部５５２が生成した模擬人感センス信号について、出力部５２０を介してインターホン２００へ送信する。
【００３５】
切替判定部５５１は、模擬装置５００の動作モードを切り替える必要があるか否かを判定し、判定結果を制御部５５０へ送信する。動作モードを切り替える契機については図２を用いて後述する。また、切替判定部５５１は、模擬装置５００の動作モードを模擬モードから監視モードに切り替える必要があると判定した場合に、模擬人感センス信号の生成を停止する旨の指示を模擬人感センス信号生成部５５２へ送信する。切替判定部５５１は、模擬装置５００の現在の動作モードを示す情報を、モード提示部５６０に出力させてもよい。切替判定部５５１は、模擬装置５００の現在の動作モードを示す情報を外部装置２０１へ出力するよう、モード情報出力部５５３へ指示してもよい。
【００３６】
模擬人感センス信号生成部５５２は、模擬装置５００が模擬モードで動作中に、タイマ５４０を用いて時間を計測し、一定期間ごとに模擬人感センス信号を生成する。また、模擬人感センス信号生成部５５２は、切替判定部５５１の指示にしたがって、模擬人感センス信号の生成を停止する。なお、模擬人感センス信号生成部５５２が模擬人感センス信号を生成する回数には上限が設定されていてもよい。上限は１回であってもよいが、ユーザの平均的な外出時間に応じた回数等を用いてもよい。さらに、模擬人感センス信号生成部５５２は、模擬装置５００が監視モードから模擬モードに動作モードを切り替えた時点で最初の模擬人感センス信号を生成してもよい。
【００３７】
モード情報出力部５５３は、切替判定部５５１の指示に基づいて、模擬装置５００が現在監視モードと模擬モードの何れにあるかを示すモード情報を、出力部５２０を用いて外部装置２０１へ出力する。すなわち、モード情報出力部は、模擬装置５００の状態を示す状態情報を外部装置２０１へ出力する、状態情報出力部として機能する。
【００３８】
（動作モードの切り替え）
本実施形態に係る模擬装置５００における動作モードの切り替えについて、図２の（ａ）〜（ｃ）を用いて説明する。図２の（ａ）は、模擬装置５００の動作モードの遷移を示す状態遷移図であり、図２の（ｂ）は模擬装置５００の動作モードに関する状態遷移表である。図２の（ｃ）は、模擬装置５００における動作モードの切り替えを例示するタイムチャートである。
【００３９】
図２の（ａ）は、模擬装置５００が監視モードおよび模擬モードの２つの動作モードの間で状態遷移を行うことを示している。図示の例によれば、模擬装置５００は、電気錠４００が施錠され、施錠信号を受信した場合に動作モードを監視モードから模擬モードに切り替える。一方、模擬モードで動作中に、人感センサ１００から人感センス信号の入力を受け付けた場合に、模擬装置５００は、動作モードを模擬モードから監視モードに切り替える。
【００４０】
図２の（ｂ）に、模擬装置５００の動作モードに関する状態遷移表を示す。前述したように、模擬装置５００は、監視モードで動作中に電気錠４００から施錠信号を受信した場合に、動作モードを監視モードから模擬モードに切り替える。一方、模擬モードで動作中に施錠信号を受信した場合は、動作モードを模擬モードのまま維持する。そして、監視モードで動作中に人感センサ１００から人感センス信号の入力を受け付けた場合、模擬装置５００は、動作モードを監視モードのまま維持する。一方、模擬モードで動作中に人感センス信号の入力を受け付けた場合、模擬装置５００は動作モードを模擬モードから監視モードに切り替える。
【００４１】
図２の（ｃ）に、模擬装置５００における動作モードの切り替えの一例を示すタイムチャートを示す。なお、図示の例において模擬装置５００の動作モードは、時間Ｔ＝０の時点で監視モードにて動作しているものとする。さらに、模擬装置５００の模擬人感センス信号生成部５５２は、該模擬装置５００が模擬モードで動作している間、一定期間ｔごとに模擬人感センス信号を生成し、制御部５５０は該模擬人感センス信号をインターホン２００に送出するものとする。
【００４２】
時間Ｔ＝０の時点で見守り対象者が外出するなどの理由によって住戸のドアが電気錠４００によって施錠されると、該電気錠４００から施錠したことを示す施錠信号が送信される。模擬装置５００の制御部５５０は、ルータ３００および施錠信号受信部５３０を介して施錠信号を受信すると、切替判定部５５１にて動作モードの切り替え要否を判定する。時間Ｔ＝０の時点では模擬装置５００の動作モードが監視モードであるため、図２の（ｂ）に示した状態遷移表にしたがって、制御部５５０は模擬装置５００の動作モードを模擬モードに切り替える。
【００４３】
その後、模擬装置５００は、人感センサ１００が見守り対象者を検知して人感センス信号を送信し、該模擬装置５００にて受信するまでの間、模擬モードで動作する。図示の例によれば、時間Ｔ＝ｔｎ（ｎは任意の整数）に人感センス信号を受信するまでの間、模擬装置５００の模擬人感センス信号生成部５５２はタイマ５４０にて計測された一定期間ｔごとに模擬人感センス信号を生成する。そして、制御部５５０は生成された模擬人感センス信号を出力部５２０を介してインターホン２００へ送出する。ここで、人感センス信号を受信するまでの時間ｔｎは、インターホン２００が緊急通報の要否を判定するために用いる所定時間より短いものとする。
【００４４】
時間Ｔ＝ｔｎにて人感センサ１００が見守り対象者の動きを検知して人感センス信号を送信し、模擬装置５００が該人感センス信号を受信する。模擬装置５００の切替判定部５５１は、人感センス信号を受信したことに基づいて、動作モードを模擬モードから監視モードに切り替える必要があると判定する。そして、制御部５５０は、図２の（ｂ）の状態遷移表にしたがって模擬装置５００の動作モードを模擬モードから監視モードに切り替える。
【００４５】
このようにして、本実施形態に係る模擬装置５００は動作モードを適宜切り替えることができる。これにより、例えば見守り対象者が旅行などの理由によって長時間外出する場合に、外出中は模擬装置５００を模擬モードで動作させることができる。また、複数の見守り対象者の一部が外出した場合は、施錠された時点で模擬モードに移行するが、直後に住戸内に残った別の見守り対象者の動きを人感センサ１００が検知することによって監視モードに再度移行する。したがって、インターホン２００による緊急通報を抑制することができ、利便性の向上した見守りシステム１を提供することができる。
【００４６】
（処理の流れ）
本実施形態に係る見守りシステム１において模擬装置５００が実行する処理の流れについて、図３を用いて説明する。図３は、模擬装置５００が実行する処理の流れの一例を示すフローチャートである。なお、以下の説明において、模擬装置５００ははじめ監視モードにて動作しているものとする。
【００４７】
まず、模擬装置５００の切替判定部５５１は、施錠信号受信部５３０およびルータ３００を介して電気錠４００から施錠信号を受信したか否かを判定する（Ｓ１）。受信したと判定した場合（Ｓ１でＹＥＳ）、制御部５５０は模擬装置５００の動作モードを模擬モードに切り替え、併せてモード提示部５６０によるモード情報の提示またはモード情報出力部５５３を用いた外部装置２０１によるモード情報の提示を行う（Ｓ２）。その後、切替判定部５５１は、入力部５１０を介して人感センサ１００から人感センス信号を受信したか否かを判定する（Ｓ３）。人感センス信号を受信していないと判定した場合（Ｓ３でＮＯ）、切替判定部５５１はさらに、前回の模擬人感センス信号の送信から一定期間が経過したか否かを判定する（Ｓ４）。一定期間が経過したと判定した場合（Ｓ４でＹＥＳ）、後述のＳ７以降の処理を実行する。一定期間が経過していないと判定した場合（Ｓ４でＮＯ）、処理はＳ３へ進む。
【００４８】
Ｓ３において、人感センス信号を受信したと判定した場合（Ｓ３でＹＥＳ）、制御部５５０は動作モードを模擬モードから監視モードに切り替える（Ｓ５）。これに併せて、モード提示部５６０によるモード情報の提示またはモード情報出力部５５３を用いた外部装置２０１によるモード情報の提示を行う。そして、制御部５５０は、出力部５２０を介してインターホン２００へ人感センス信号を送信する（Ｓ６）。その後、模擬装置５００は一連の処理を終了する。
【００４９】
Ｓ４において、前回の模擬人感センス信号の送信から一定期間が経過したと判定した場合（Ｓ４でＹＥＳ）、模擬人感センス信号生成部５５２は模擬人感センス信号を生成する（Ｓ７）。そして、制御部５５０は生成された模擬人感センス信号をインターホン２００へ送信する（Ｓ８）。その後、処理はＳ３へ進み、Ｓ３〜Ｓ８の処理を再度実行する。
【００５０】
以上の処理によって、模擬装置５００は、施錠信号に基づいて模擬モードに動作モードを切り替え、さらに模擬モードで動作中は人感センス信号と同等の模擬人感センス信号を一定期間ごとにインターホン２００へ送信する。これにより、模擬装置５００が模擬モードで動作中にインターホン２００は、人感センサ１００が見守り対象者を検知していると模擬人感センス信号に基づいて判定する。したがって、インターホン２００による緊急通報を抑制することができ、利便性の向上した見守りシステム１を提供することができる。
【００５１】
〔変形例〕
前記実施形態１において、模擬装置５００は人感センサ１００とインターホン２００との間に配置される構成であった。しかしながら模擬装置５００は、例えば人感センサ１００およびインターホン２００の少なくともいずれかと一体に設けられてもよい。模擬装置５００が人感センサ１００と一体に設けられた場合、模擬装置５００と一体に設けられた人感センサ１００は、電気錠４００より施錠信号を受信してから自身が見守り対象者の動きを検知するまでの間、模擬人感センス信号を送出する。このとき、人感センス信号と模擬人感センス信号は、同一の信号であってもよいし、波形等が異なる信号であってもよい。
【００５２】
〔まとめ〕
本発明の態様１に係る模擬装置（５００）は、住戸内における人の活動を監視し、異常があったときに緊急通報する見守りシステム（１）を構成する模擬装置であって、前記見守りシステムは、住戸内の人の動きを検知したときに人感センス信号を送出する人感センサ（１００）と、前記人感センサから前記人感センス信号が入力されるとともに、前記人感センス信号が最後に入力された時刻から所定時間が経過したときに緊急通報する緊急通報装置（インターホン２００）とを少なくとも含み、さらに、前記見守りシステムは、住戸内にいた人が住戸から外出する動きを検知する外出検知センサ（電気錠４００）を含み、前記模擬装置は、前記外出検知センサが前記外出する動きを検知したときの信号の入力を検知すると、前記人感センス信号を模擬した模擬人感センス信号を前記所定時間よりも短い間隔で前記緊急通報装置へ送出するとともに、前記人感センサが送出した前記人感センス信号の入力を検知すると、前記模擬人感センス信号の送出を停止する構成である。
【００５３】
前記の構成によれば、模擬装置は、外出検知センサが外出する動きを検知したときの信号に基づいて模擬人感センス信号を所定時間よりも短い間隔で緊急通報装置へ送出する。緊急通報装置では、模擬人感センス信号に基づいて住戸内の人の動きを検出していると判定する。これにより、見守り対象者が外出時にボタンを押下するなどの特定の操作を行うことなく見守りの無効化を自動的に行うことができる、利便性に優れた見守りシステムを提供することができるという効果を奏する。
【００５４】
本発明の態様２に係る模擬装置（５００）は、前記の態様１において、前記人感センス信号が前記人感センサ（１００）から前記緊急通報装置（インターホン２００）へ伝送される信号線に設けられている構成としてもよい。前記の構成によれば、模擬装置は人感センス信号を人感センサおよび緊急通報装置との間で送受信することができる。
【００５５】
本発明の態様３に係る模擬装置（５００）は、前記の態様１において、前記人感センサ（１００）と一体に設けられている構成としてもよい。前記の構成によれば、模擬装置は、住戸内の人の動きを検出した場合は人感センス信号を送出し、検出しなかった場合は模擬人感センス信号を送出することができる。
【００５６】
本発明の態様４に係る模擬装置（５００）は、前記の態様１〜３の何れかにおいて、前記模擬人感センス信号を送出する状態と、前記模擬人感センス信号の送出を停止している状態との何れにあるかを識別可能に提示する状態提示部（モード提示部５６０）を備える構成としてもよい。前記の構成によれば、模擬装置は、自身の現在の状態について識別可能に提示することができる。
【００５７】
本発明の態様５に係る模擬装置（５００）は、前記の態様１〜４の何れかにおいて、前記模擬人感センス信号を送出する状態と、前記模擬人感センス信号の送出を停止している状態との何れにあるかを示す状態情報を外部装置（２０１）へ出力する状態情報出力部（モード情報出力部５５３）を備える構成としてもよい。前記の構成によれば、模擬装置は、自身の現在の状態について外部装置を介して出力することができる。
【００５８】
本発明の態様６に係る模擬装置（５００）の制御方法は、住戸内における人の活動を監視し、異常があったときに緊急通報する見守りシステム（１）を構成する模擬装置の制御方法であって、前記見守りシステムは、住戸内の人の動きを検知したときに人感センス信号を送出する人感センサ（１００）と、前記人感センサから前記人感センス信号が入力されるとともに、前記人感センス信号が最後に入力された時刻から所定時間が経過したときに緊急通報する緊急通報装置（インターホン２００）とを少なくとも含み、さらに、前記見守りシステムは、住戸内にいた人が住戸から外出する動きを検知する外出検知センサ（電気錠４００）を含み、前記模擬装置は、前記外出検知センサが前記外出する動きを検知したときの信号の入力を検知すると、前記人感センス信号を模擬した模擬人感センス信号を前記所定時間よりも短い間隔で前記緊急通報装置へ送出するとともに、前記人感センサが送出した前記人感センス信号の入力を検知すると、前記模擬人感センス信号の送出を停止する方法である。前記の構成によれば、前記態様１と同様の作用効果を奏する。
【００５９】
本発明の態様７に係る見守りシステム（１）は、住戸内における人の活動を監視し、異常があったときに緊急通報する見守りシステムであって、住戸内の人の動きを検知したときに人感センス信号を送出する人感センサ（１００）と、前記人感センサから前記人感センス信号が入力されるとともに、前記人感センス信号が最後に入力された時刻から所定時間が経過したときに緊急通報する緊急通報装置（インターホン２００）と、前記緊急通報装置から緊急通報を受信して報知対象者に提示する報知装置（監視端末２１０）と、住戸内にいた人が住戸から外出する動きを検知する外出検知センサ（電気錠４００）と、前記外出検知センサが前記外出する動きを検知したときの信号の入力を検知すると、前記人感センス信号を模擬した模擬人感センス信号を前記所定時間よりも短い間隔で前記緊急通報装置へ送出するとともに、前記人感センサが送出した前記人感センス信号の入力を検知すると、前記模擬人感センス信号の送出を停止する模擬装置（５００）とを含む構成である。前記の構成によれば、前記態様１と同様の作用効果を奏する。
【００６０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６１】
１  見守りシステム
１００  人感センサ（センサ）
２００  インターホン（緊急通報装置）
２０１  外部装置
２１０  監視端末
３００  ルータ
４００  電気錠（外出検知センサ）
５００  模擬装置
５１０  入力部
５２０  出力部
５３０  施錠信号受信部
５４０  タイマ
５５０  制御部
５５１  切替判定部
５５２  模擬人感センス信号生成部
５５３  モード情報出力部（状態情報出力部）
５６０  モード提示部（情報提示部）
【図１】
2019159565.tif 000003
【図２】
2019159565.tif 000004
【図３】
2019159565.tif 000005